(57)【要約】【課題】  ＣＤ，ＤＶＤ等の記録媒体を収納した貸出しケース、又はコミック雑誌等の物品上端部を上方へ突出した状態で収容するレンタル用カバーケースの提供。【解決手段】  レンタル用カバーケースは透明な胴体部１の下端に台座２を設け、該台座２は胴体部内面との間に表紙下端部が嵌入する隙間を形成し、胴体部１の上端には表紙２１の上縁を止着する為に外片１８と内片１７との間に嵌合溝１９を形成している。【選択図】    図１
2009274754.tif 000002
【特許請求の範囲】
【請求項１】
ＣＤ，ＤＶＤ等の記録媒体を収納した貸出しケース、又はコミック雑誌等の物品上端部を上方へ突出した状態で収容するレンタル用カバーケースにおいて、該レンタル用カバーケースは透明な胴体部の下端に台座を設け、該台座は胴体部内面との間に表紙下端部が嵌入する隙間を形成し、胴体部の上端には表紙の上縁を止着する為に外片と内片との間に嵌合溝を形成したホルダーを取付けたことを特徴とするレンタル用カバーケース。
【請求項２】
上記ホルダーを概略コ形とし、胴体部の両側面部と表面部の上端に沿って取付けた請求項１記載のレンタル用カバーケース。
【請求項３】
上記ホルダーを小さなピースとし、胴体部の両側面部の背面側と表面部に取付けた請求項１記載のレンタル用カバーケース。
【請求項４】
胴体部の上端部に穴を貫通し、ホルダーの外片には該穴に嵌る凸部を設けた請求項１、請求項２、又は請求項３記載のレンタル用カバーケース。
【発明の詳細な説明】
【技術分野】
【０００１】
本発明はコミックなどの雑誌、ビデオテープ、ＣＤ，ＤＶＤ等の記録媒体等をレンタルショップの陳列棚に配列してレンタルする為のレンタル用カバーケースに関するものである。
【背景技術】
【０００２】
音楽や映像を記録したＣＤ，ＤＶＤ等の円盤状記録媒体(ディスク)、ビデオテープ、貸出しケースに収納された状態でレンタルされる。そして、該貸出しケースはレンタル用カバーケースに入れられてレンタルショップの陳列棚に配列されている。図１０は従来から周知であるビデオテープのレンタル形態を示している場合であるが、レンタル用カバーケース(イ)には上端が開口していて、この上端開口からビデオテープを収納している貸出しケース(ロ)が収容されている。この場合、貸出しケース(ロ)の上端部はレンタル用カバーケース(イ)から上方へ突出している。
【０００３】
ところで、上記レンタル用カバーケース(イ)は樹脂を材質として射出成形されるが、図１１は該レンタル用カバーケース(イ)の展開図を示している。レンタル用カバーケース(イ)はケース本体(ハ)、ケース蓋(ニ)、及び繋ぎ部(ホ)から成って、ケース蓋(ニ)をケース本体(ハ)に被覆して閉じることで箱型容器となり、上端開口から貸出しケース(ロ)が収容され得る。そして、ケース本体(ハ)の底部には貸出しケース(ロ)が載って支持される底板(ヘ)が取付けられている。
【０００４】
該レンタル用カバーケース(イ)は射出成形され、外表面には表紙を挿入する為の透明シートが熱溶着されている。レンタル用カバーケース(イ)を所定の寸法・形状に射出成形する為には、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース(イ)、(イ)・・の個数は少なくなる。
【０００５】
一方、表紙を取付ける場合には、ケース蓋(ニ)を開くことで透明シートをダブ付かせ、ケース本体(ハ)及びケース蓋（ニ）の外表面との間に形成される隙間に挿入される。このように、レンタル用カバーケースの製作に高騰だけでなく、表紙の取付けも時間がかかり面倒である。
【発明の開示】
【発明が解決しようとする課題】
【０００６】
このように、従来のレンタル用カバーケースには上記のごとき問題がある。本発明が解決しようとする課題はこの問題点であり、構造・形態が簡単で製作が低コストで行われ、又表紙の取付け・取外し作業を手軽に行うことが出来るレンタル用カバーケースを提供する。
【課題を解決するための手段】
【０００７】
本発明に係るレンタル用カバーケースは透明な樹脂製の胴体部と台座で構成され、台座は胴体部の下端に取付けられる。ここで、該台座の取付け構造に関しては限定しないこととし、例えば長方形筒状の胴体部下端に台座を嵌めて取付けたり、下端に設けた下片を介して台座を取付けることもある。そして、台座の上面はコミック雑誌、ＤＶＤ等を収容した貸出しケースが載る載置面としている。
【０００８】
表紙は胴体部の内面に接して取付けられ、その下端は載置面より下方に設けた受け面に載って支持される。この場合、表紙下端は胴体部と台座周囲の隙間に嵌入して位置決めされ、上部は胴体部の上端に止着(拘束)する為にホルダーを取付ける。該ホルダーの形態は限定せず、表紙上端の全長を拘束する場合、又は表紙上端の一部をクリップ状のホルダーにて胴体部と共に挟み込むことも出来る。
【発明の効果】
【０００９】
本発明に係るレンタル用カバーケースは、胴体部の下端に台座を取付け、胴体部上端開口から入れたコミック等は台座の載置面に載り、コミック等の上端部は開口から上方へ突出して陳列される。そこで、レンタル店に来た客は上端部が突出したコミック等をカバーケースから抜き取って借りることが出来る。
【００１０】
ところで、該レンタル用カバーケースには、透明な胴体部内面に沿って表紙が取付けられるが、該表紙の下縁は台座と胴体部内面との隙間に嵌入して位置決めされ、上縁はホルダーを介して胴体部上端に拘束される。従って、表紙は胴体部内面に密着し、透明な胴体部を通して表紙の文字や模様などをはっきり見ることが出来る。すなわち、ホルダーを取付けるだけで表紙が位置決めされる。
【実施例】
【００１１】
図１は本発明に係るレンタル用カバーケースを示す実施例である。同図の１は胴体部、２は台座を表わし、該台座２は胴体部１の下端に取着されていて、胴体部１の内部は上部に開口４を有す収容空間３を形成している。ここで、胴体部１は透明な樹脂製と成って、胴体部１の内面に面して取付けた表紙(図示なし)を外から見ることが出来る。
【００１２】
上記台座２は胴体部１の底から内部に突出して取付けられ、その上面は収容されるコミック雑誌が載る載置面と成っている。図２は台座２の具体例であって、  該台座２の形態は同図に示す場合に限定しないが、嵌入部５と底部６から成り、嵌入部５はその側面７ａ，７ａ，７ｂ，７ｂが傾斜し、上端は平坦な載置面８と成っている。底部６は嵌入部５より一回り大きく、嵌入部５の周りには表紙が載る細幅の受け面９，９・・を有している。そして、底部６の側面１０，１０には複数の小さな突片１１，１１・・を突出して設けている。
【００１３】
一方、胴体部１の両側面部１２，１２の下端には複数のスリット溝が形成されていて、このスリット溝に上記突片１１，１１・・が嵌合するように台座２が取付けられる。従って、嵌入部５は胴体部１の収容空間３の底から突出した状態と成っている。そして、開口４から挿入される表紙は胴体部内面に面して取付けられるが、その下縁は台座２の載置面８より下方に設けている受け面９に載って支持される。
【００１４】
そして、胴体部１の上端には図１に示すようにホルダー１３が取付けられている。該ホルダー１３は概略コ形を成し、表面部１４の上端、及び両側面部１２，１２の上端に嵌って取り付けられている。図３はコ形をしたホルダー１３を表しているが、両側縁部１５，１５と表縁部１６を有し、側縁部１５，１５、及び表縁部１６は内片１７と外片１８を備え、内片１７と外片１８の間には嵌入溝１９を設けている。
【００１５】
図４(ａ)は上記ホルダー１３の平面図、(ｂ)は底面図、(ｃ)右側面図を夫々表しているが、嵌入溝１９は連続したコ形を成している。そして、外片１８の所々には小さな凸部２０，２０・・を形成している。図５(ａ)は該ホルダー１３の断面拡大図であり、同図の１７は内片、１８は外片、２０は凸部を示している。同じく(ｂ)もホルダー１３の断面拡大図であるが、このホルダー１３の外片１８には上記凸部２０を有していない。
【００１６】
図６は本発明にかかるレンタル用カバーケースの組み立て方法を示している。胴体部１の底には台座２が取付けられ、この胴体部１に表紙２１を挿入するが、該表紙２１の下縁は台座２の嵌入部５の側面７ａ，７ａ，７ｂと胴体部１の内面との間に嵌り、受け面９に載って支持される。そして、表紙２１の上縁は胴体部１の上端まで達し、上端と共にホルダー１３によって挟まれる。
【００１７】
従って、胴体部１の収容空間３に嵌めた表紙２１は表面部内面、両側面部内面に面して取付けられる。図６(ｂ)の場合は、胴体部１の上端部に複数の穴２２，２２・・を貫通して設けた場合であり、この穴２２，２２・・にはホルダー１３の外片１８に設けた凸部２０，２０・・が嵌合して外れ防止として機能することが出来る。
【００１８】
図７は本発明のレンタル用カバーケースにコミック雑誌２３を収容している場合であり、該コミック雑誌２３は台座２の載置面８に載り、受け面９から上方へ突出している嵌入部５の載置面８の高さ寸法分が、開口４から突出する。レンタル店にはこの状態で陳列され、客は突出しているコミック雑誌２３を抜き取って、カウンターで所定の手続を経て借りることが出来る。
【００１９】
図８は小さなホルダー２４，２４・・を用いて表紙２１の上縁を胴体部１の上端に止着する場合である。該表紙２１は胴体部１の収容空間３に挿入され、その下縁は台座２の受け面８に載り、嵌入部５の側面７ａ，７ａ，７ｂと胴体部１の内面との間に嵌って位置決めされる。そして、表紙上縁は３個の小さなホルダー２４，２４・・にて胴体部１の上端に拘束される。ホルダー２４，２４・・は胴体部１の側面部１２，１２の背面側と表面部１４に取付けられる。
【００２０】
そして、図９に示すようにコミック雑誌２３が胴体部１の収容空間３に収容される。このように、本発明のレンタル用カバーケースでは、表紙２１を収容空間３に挿入し、その下縁を受け面８に載せると共に側面７ａ，７ａ，７ｂと胴体部内面との間に嵌入して位置決めし、上縁は胴体部１の上端に取付けたホルダー１３にて位置決めすることが出来る。従って、表紙２１の取付け作業は簡単と成り、又取外し作業も容易に行うことが可能である。
【図面の簡単な説明】
【００２１】
【図１】本発明に係るレンタル用カバーケースの実施例。
【図２】胴体部下端に取付けられる台座の具体例。
【図３】表紙上縁を胴体部上端に止着するホルダーの具体例。
【図４】(ａ)はホルダーの平面図、(ｂ)はホルダーの底面図、(ｃ)はホルダーの右側面図。
【図５】ホルダーの断面拡大図。
【図６】レンタル用カバーケースに表紙を取付ける方法。
【図７】レンタル用カバーケースにコミック雑誌を収容した状態。
【図８】レンタル用カバーケースに表紙を取付ける方法。
【図９】レンタル用カバーケースにコミック雑誌を収容した状態。
【図１０】従来のレンタル用カバーケース。
【図１１】従来のレンタル用カバーケースの展開図。
【符号の説明】
【００２２】
１  胴体部
２  台座
３  収容空間
４  開口
５  嵌入部
６  底部
７  側面
８  載置面
９  受け面
10  側面
11  突片
12  側面部
13  ホルダー
14  表面部
15  側縁部
16  表縁部
17  内片
18  外片
19  嵌入溝
20  凸部
21  表紙
22  穴
23  コミック雑誌
24  ホルダー
【図１】
2009274754.tif 000003
【図２】
2009274754.tif 000004
【図３】
2009274754.tif 000005
【図４】
2009274754.tif 000006
【図５】
2009274754.tif 000007
【図６】
2009274754.tif 000008
【図７】
2009274754.tif 000009
【図８】
2009274754.tif 000010
【図９】
2009274754.tif 000011
【図１０】
2009274754.tif 000012
【図１１】
2009274754.tif 000013